(57)【要約】      （修正有）【課題】多節式スライドレールの２本のレール部品を制御し、ロック固定及び釈放の機能を持たせるスライドレールアセンブリのロック固定装置を提供する。【解決手段】第一停止体１６は停止壁２０を備え、ロック固定部品２２は第二レール１２に可動状に設置され、第二レール１２はスライド状に第一レール１０に連接し、第二レール１２はスライド溝２８、接触接続溝３０を備え、ロック固定部品２２は操作部３８、導引溝４２、接触接続溝３０の溝壁に接触する定位脚４４を備え、導引溝４２は傾斜し、第二レール１２のスライド溝２８に相対し、停止ピン４６は可動状に第二レール１２のスライド溝２８に設置され、一部分が露出し、ロック固定部品２２の導引溝４２内に挿入して設置され、ロック固定部品２２の操作、導引溝４２によって斜めに押す導引を受け、スライド溝２８に沿ってスライドし、ロック固定位置において第一停止体１６に相対し、こうして第一停止体１６の停止壁２０と相互に係合ロックし、第二レール１２は、第一レール１０にロック固定される。【選択図】図１
0003174025.tif 000002
【実用新案登録請求の範囲】
【請求項１】
第一停止体、第一レール、第二レール、第三レール、ロック固定装置、停止ピンを備える、スライドレールアセンブリのロック固定装置であって、
前記第一停止体は、前記第一レールに設置され、停止壁を備え、
前記第二レールは、スライド溝及び接触接続溝を備え、前記第一レールにスライド状に連接され、
前記ロック固定部品は、前記第二レールに可動状に設置され、
前記ロック固定部品は、操作部、導引溝、及び前記接触接続溝の溝壁に接触する定位脚を備え、前記導引溝は傾斜し、しかも前記第二レールのスライド溝に対応し、
前記停止ピンは、前記第二レールのスライド溝に可動状に設置され、一部分が露出し、前記ロック固定部品の導引溝内に挿入して設置され、
前記操作部により、前記ロック固定部品を移動させ、前記停止ピンは、前記導引溝によって斜めに押す導引を受けると共に、前記スライド溝に沿ってスライドし、ロック固定位置において前記第一停止体に対して、前記第一停止体の停止壁と相互に係合ロックし、前記第二レールは、前記第一レールにロック固定されることを特徴とするスライドレールアセンブリのロック固定装置。
【請求項２】
前記スライドレールアセンブリのロック固定装置はさらに、第三レール、同期連動部品、ロック固定部品を備え、
前記第三レールは、前記第二レールにスライド状に連接され、前記同期連動部品は、前記第二レールに可動状に接続され、前記第二レールは、開孔、弾性部品を備え、前記開口には、前記同期連動部品を収容して設置し、前記弾性部品は、前記第二レールに固定して接続され、
前記同期連動部品は、第一端、第二端、中段部を備え、前記中段部は、前記第一端と前記第二端との間に位置され、前記第一端は、嵌合体を備え、前記弾性部品は、前記同期連動部品の第二端に弾力作用を提供し、これにより前記同期連動部品の第一端の嵌合体は常態的に起き上がり、前記第二レールの開孔上方に露出し、
前記ロック固定部品は、釈放部を備え、嵌合体に対応し、前記嵌合体は、前記ロック固定部品の釈放部により連動されて移動し、前記第二レールの開孔内へと入ることを特徴とする、請求項１に記載のスライドレールアセンブリのロック固定装置。
【請求項３】
前記第三レールは、第二停止体を備え、
前記第二停止体は、前記同期連動部品の嵌合体に相対し、しかも前記同期連動部品の嵌合体において常態的に起き上がり、前記第二レールの開孔上方に露出する状態下で、前記第二停止体と前記嵌合体とは相互に嵌合することを特徴とする、請求項２に記載のスライドレールアセンブリのロック固定装置。
【請求項４】
前記接触接続溝の溝壁は、第一陥没部及び第二陥没部を備え、これにより、前記ロック固定部品は位置を変えられ、前記定位脚を挿入して定位することを特徴とする、請求項１に記載のスライドレールアセンブリのロック固定装置。
【請求項５】
前記第二レールは、一対の固定孔を備え、
前記ロック固定部品は、一対の長溝を備え、前記第二レールの一対の固定孔に対応し、
一対の固定ピンにより、前記ロック固定部品の長溝をそれぞれ貫通し、及び前記第二レールの一対の固定孔に固定して接続することを特徴とする、請求項１に記載のスライドレールアセンブリのロック固定装置。
【考案の詳細な説明】
【技術分野】
【０００１】
本考案はスライドレールアセンブリのロック固定装置に係り、特に三節式スライドレールの第一レールと第二レールを制御して、収納位置においてロックすることができ、しかもロック固定された第二レールの、第三レールとの同期引き伸ばし作用を解除でき、これにより開放された第三レールに従い移動することはないスライドレールアセンブリのロック固定装置に関する。
【背景技術】
【０００２】
本出願人が擁する特許である特許文献１又は２の「スライドレール引き伸ばしの連動定位構造」を例として説明する。前記した設計は、中レールと内レールを外レールから同期に引き伸ばし、中レールを外レールに対して定位後、内レールと中レールのロックを解除し、完全に展開するまで、内レールを単独で引き伸ばし、収納時には、内レールと中レールを、順番に外レールに収納する。
【０００３】
本出願請人は、前記した多節式スライドレールの設計に、欠点があることを発見した。それは、第二レール(中レール)を第一レール(外レール)に対して収納位置においてロックする機能がなく、しかも第二レール(中レール)の第三レール(内レール)に従う同期引き伸ばしの作用を単独では解除できないということである。
【０００４】
また、この種のスライドレールを棚、ひきだしなどの物件に実際に設置すると、第一レール(外レール)は、棚に設置され、第二レール(中レール)に連接する。第三レール(内レール)は、ひきだしに設置され、しかも第三レール(内レール)は第二レール(中レール)に対して挿入して連接し、或いは取り外すことができる。しかし、第三レール(内レール)を第二レール(中レール)から取り外す、つまりひきだしを取り外す時には、スライドレールの動作は先ず、第三レール(内レール)と第二レール(中レール)を、同期に第一レール(外レール)から引き伸ばす。これにより、第二レール(中レール)のレールの一部は、第一レール(外レール)から引き伸ばされる。次に、第三レール(内レール)を第二レール(中レール)に対して完全に引き出し離脱させる。
【０００５】
しかし、このような取り外し過程は、スライドレールの操作に必要な空間は、奥行きが少なくとも第三レール(内レール)の全長に第二レール(中レール)が引き伸ばされ展開した時の長さを加えたものより大きくなくてはならない。よって、棚を設置している空間の奥行きが、第三レール(内レール)の全長のみしかない時には、上記のスライドレールを適用することはできない。すなわち、特許文献１又は２の設計では、狭い空間への設置ニーズに応えることはできないという問題があった。本考案は、従来のスライドレールアセンブリのロック固定装置の上記した欠点に鑑みてなされたものである。
【先行技術文献】
【特許文献】
【０００６】
【特許文献１】台湾特許第I271168号公報
【特許文献２】米国特許第7,357,468号公報
【考案の概要】
【考案が解決しようとする課題】
【０００７】
本考案が解決しようとする第一の課題は、多節式スライドレールの２本のレール部品を制御し、ロック固定及び釈放の機能を持たせるスライドレールアセンブリのロック固定装置を提供することである。
本考案が解決しようとする第二の課題は、多節式スライドレールの二節レール部品を制御し、収納位置においてロック固定可能とし、しかもレール部品は単独で引き伸ばされて展開し、取り外すことができ、狭い空間内での設置使用に適用可能なスライドレールアセンブリのロック固定装置を提供することである。
【課題を解決するための手段】
【０００８】
上記課題を解決するため、本考案のスライドレールアセンブリのロック固定装置は、第一停止体を備え、第一レール、第二レール、第三レール、ロック固定装置を備え、該第一停止体は、該第一レールに設置し、該第一停止体は、停止壁を備え、該ロック固定部品は、該第二レールに可動状に設置し、該第二レールは、スライド状に、該第一レールに連接し、該第二レールは、スライド溝及び接触接続溝を備え、しかもロック固定部品操作部、導引溝、及び該接触接続溝の溝壁に接触する定位脚を備え、導引溝は傾斜し、しかも該第二レールのスライド溝に相対し、停止ピンは、該第二レールのスライド溝に可動状に設置し、一部分が露出し、該ロック固定部品の導引溝内に挿入して設置され、しかも該ロック固定部品の操作、該導引溝の斜めに押す導引を受け、及び該スライド溝に沿ってスライドし、ロック固定位置において該第一停止体に相対し、こうして、該第一停止体の停止壁と相互に係合ロックし、これにより該第二レールは、該第一レールにロック固定され、
好ましくは、さらに第三レールを備え、該第二レールにスライド状に連接し、該同期連動部品は、該第二レールに可動状に接続し、該第二レールは、開孔を備え、該開口には、該同期連動部品を収容して設置し、該弾性部品は、該第二レールに固定して接続し、該同期連動部品は、第一端、第二端、中段部を備え、該中段部は、該第一端と該第二端との間に位置し、該第一端は、嵌合体を備え、該弾性部品は、該同期連動部品の第二端に弾力作用を提供し、これにより該同期連動部品の第一端の嵌合体は常態的に起き上がり、該第二レールの開孔上方に露出し、該ロック固定部品は、釈放部を備え、嵌合体に相対し、これにより該嵌合体は、該ロック固定部品の釈放部により連動されて移動し、該第二レールの開孔内へと入り、
好ましくは、第三レールは、第二停止体を備え、該第二停止体は、該同期連動部品の嵌合体に相対し、しかも該同期連動部品の嵌合体において常態的に起き上がり、該第二レールの開孔上方に露出する状態下で、該第二停止体と該嵌合体とは相互に嵌合し、
好ましくは、接触接続溝の溝壁には、第一陥没部及び第二陥没部を備え、これにより該ロック固定部品は位置を変えられ、これに該定位脚を挿入して定位し、
好ましくは、第二レールには、一対の固定孔を備え、該ロック固定部品には、一対の長溝を備え、該第二レールの一対の固定孔に対応し、一対の固定ピンにより、該ロック固定部品の長溝をそれぞれ貫通し、及び該第二レールの一対の固定孔に固定して接続する。
【考案の効果】
【０００９】
本考案のスライドレールアセンブリのロック固定装置は、三節式スライドレールの第一レールと第二レールを制御して、収納位置においてロックすることができ、しかもロック固定された第二レールの、第三レールとの同期引き伸ばし作用を解除でき、これにより開放された第三レールに従い移動することはない。
【００１０】
また、本考案のこのような設計は、空間が限られた場所、例えば、電子設備の機械室などの奥行きが十分でない場所に適用される。上記したような空間で、三節式スライドレールをすべて引き出し、取り外すのが不便、或いはメンテナンス時に局部だけを開く必要がある場合に、本考案の設計は、その必要に応えることができ、設置の利便性が高く、或いは取り外しての電子設備のメンテナンスに便利である。
【図面の簡単な説明】
【００１１】
【図１】本考案の実施例のスライドレールアセンブリの配置模式図である。
【図２】本考案の実施例の同期連動部品の配置模式図である。
【図３】本考案の実施例のロック固定部品と同期連動部品が第二レールに相対する組合せ模式図である。
【図４】本考案の実施例の第二レールが第一レールに相対し、収納位置でロック固定される様子を示す模式図である。
【図５】本考案の実施例において、図４の状態からロック固定が解除され、第三レールと第二レールが同期移動可能となる様子を示す模式図である。
【考案を実施するための形態】
【００１２】
以下に図面を参照しながら本考案を実施するための最良の形態について詳細に説明する。
【００１３】
図１に示すスライドレールアセンブリは、第一レール10、第二レール12、第三レール14、ロック固定装置を備える。第二レール12は、第一レール10に縦方向にスライド状に連接する。第三レール14は、第二レール12に縦方向にスライド状に連接する。
【００１４】
ロック固定装置は、第一停止体16、ロック固定部品22、停止ピン46を備える。
【００１５】
第一停止体16は、第一レール10に設置され、第一停止体16は、停止壁20を備える。ロック固定部品22は、第二レール12に可動状に設置される。第二レール12は、開孔24、一対の固定孔26、スライド溝28、接触接続溝30を備える。接触接続溝30の溝壁は、第一陥没部32及び第二陥没部34を備える。
【００１６】
ロック固定部品22の前、後両端は、釈放部36及び操作部38を備える。しかも、釈放部36と操作部38との間には、一対の長溝40、導引溝42、定位脚44、停止ピン46を備える。一対の長溝40は、第二レール12の一対の固定孔26にそれぞれ対応する。導引溝42は、第二レール12のスライド溝28に対応する。
【００１７】
定位脚44は、第二レール12の接触接続溝30に対応し、定位脚44は、接触接続溝30の溝壁に接触する。好ましくは、導引溝42は、傾斜状である。接触接続溝30の第一陥没部32及び第二陥没部34は、ロック固定部品22の位置を変えることができ、これに定位脚44を挿入して定位することができる。
【００１８】
停止ピン46は、第二レール12のスライド溝28に可動状に設置し、一部分が露出し、ロック固定部品22の導引溝42内に挿入して設置される。
【００１９】
前記の配置に基づき、停止ピン46は、ロック固定部品22の操作、導引溝42の導引を受け、及びスライド溝28に沿ってスライドし、ロック固定位置において第一停止体16に相対する。こうして、第一停止体16の停止壁20と相互に係合ロックし、これにより、第二レール12は、第一レール10にロック固定される。
【００２０】
好ましくは、ロック固定部品22は、一対の固定ピン48により、ロック固定部品22の長溝40をそれぞれ貫通し、及び第二レール12の一対の固定孔26に固定して接続する。
【００２１】
最適実施例中では、さらに同期連動部品50、弾性部品52を備える。同期連動部品50は、第二レール12に可動状に接続し、第二レール12の開孔24に同期連動部品50を収容して設置する。弾性部品52は、第二レール12に固定して接続する。
【００２２】
図２、３に示すように、同期連動部品50は、第一端54、第二端56、中段部58を備える。中段部58は、第一端54と第二端56との間に位置される。第一端54は、嵌合体60を備え、しかも可動ピン62により中段部58に挿入して連接し、これにより、同期連動部品50は、第二レール12に可動状に接続される。弾性部品52は、同期連動部品50の第二端56に弾力作用を提供し、これにより、同期連動部品50の第一端54の嵌合体60は常態的に起き上がり、第二レール12の開孔24上方に露出し、嵌合体60は、ロック固定部品22の釈放部36に相対する。
【００２３】
この他、図１に示すように、第三レール14は、第二停止体64を備え、同期連動部品50の嵌合体60は、第三レール14の第二停止体64に相対する。嵌合体60が起き上がり、第二レール12の開孔24上方に露出すると、第二停止体64と嵌合体60は相互に嵌合する。このような状態の下、第二レール12は、第三レール14により引き出され、同期移動を行う(図５参照)。
【００２４】
図４に示すように、第二レール12が第一レール10に対して収納位置にあると、ロック固定装置によりロックされる。そのロックの操作方式は、ロック固定部品22の操作部38を動かし移動させるものである。これにより、ロック固定部品22の定位脚44は、もともと位置していた第二レール12の接触接続溝30の第一陥没部32から、第二陥没部34へと移動し定位される。しかも、停止ピン46はロック固定部品22の導引溝42により斜めに押され、第二レール12のスライド溝28に沿って、ロック固定位置まで移動し、第一停止体16に相対する。こうして、停止ピン46により、第一停止体16の停止壁20と相互に係合ロックされ、これにより、第二レール12は、第一レール10にロック固定される。
【００２５】
同時に、同期連動部品50の第一端54の嵌合体60も、ロック固定部品22の釈放部36により連動されて移動し、第二レール12の開孔24内へと入る。こうして、嵌合体60は第三レール14の第二停止体64を離脱する。この状態下では、第三レール14を単独で引き出すことができ、しかも第二レール12の同期移動を連動せず、第二レール12は、第一レール10に固定されている。
【００２６】
第三レール14と第二レール12を、第一レール10から引き出し、同期移動させたい時には、図５に示すように、ロック固定部品22は押し戻され、定位脚44により、第二レール12の接触接続溝30の第一陥没部32に押さえられる。こうして、ロック固定部品22の釈放部36は、同期連動部品50の嵌合体60に対する押さえを解除する。これにより、同期連動部品50の嵌合体60は、弾性部品52の弾力により、回復して起き上がり、第二レール12の開孔24上方に露出し、第三レール14の第二停止体64に係合する。よって、第三レール14が引き伸ばされると、第二レール12は第三レール14に従い、同期に引き伸ばされ移動する。
【００２７】
上記したように、本考案のスライドレールアセンブリのロック固定装置は、三節式スライドレールの第一レールと第二レールを制御して、収納位置においてロックすることができ、しかもロック固定された第二レールの、第三レールとの同期引き伸ばし作用を解除でき、これにより、開放された第三レールに従い移動することはない。
【００２８】
本考案のこのような設計は、空間が限られた場所、例えば、電子設備の機械室などの奥行きが十分でない場所に適用される。上記したような空間で、三節式スライドレールをすべて引き出し、取り外すのが不便、或いはメンテナンス時に局部だけを開く必要がある場合に、本考案の設計は、その必要に応えることができ、設置の利便性が高く、或いは取り外しての電子設備のメンテナンスに便利である。
【００２９】
上記の本考案名称と内容は、本考案技術内容の説明に用いたのみで、本考案を限定するものではない。本考案の精神に基づく等価応用或いは部品(構造)の転換、置換、数量の増減はすべて、本考案の保護範囲に含むものとする。
【産業上の利用可能性】
【００３０】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００３１】
10  第一レール
12  第二レール
14  第三レール
16  第一停止体
20  停止壁
22  ロック固定部品
24  開孔
26  固定孔
28  スライド溝
30  接触接続溝
32  第一陥没部
34  第二陥没部
36  釈放部
38  操作部
40  長溝
42  導引溝
44  定位脚
46  停止ピン
48  固定ピン
50  同期連動部品
52  弾性部品
54  第一端
56  第二端
58  中段部
60  嵌合体
62  可動ピン 
64  第二停止体
【図１】
0003174025.tif 000003
【図２】
0003174025.tif 000004
【図３】
0003174025.tif 000005
【図４】
0003174025.tif 000006
【図５】
0003174025.tif 000007